(57)【要約】【課題】開口内に出入可能な可動体が搭載された回転板を可変表示装置の前方でスムーズに回転させることができる可動役物装置を提供する。【解決手段】可変表示装置１４を目視可能な開口３３が設けられた回転板２３に一対のスライド板４０，４１や一対のモータ４２，４４を搭載し、両モータ４２，４４を駆動源として対応するスライド板４０，４１を開口３３内へ出入動作させる。そして、回転板２３を回転駆動機構によって初期位置から正逆両方向へ回転可能となし、支持ベース２２に搭載した駆動モータ２９と、この駆動モータ２９の回転を回転板２３の外周部のリングギア３６に伝達する減速ギア列３０とによって回転駆動機構を構成し、減速ギア列３０の最終段ギア３０ｂとリングギア３６とを回転板２３の回転中心Ｏを通る垂線Ｌの近傍で噛合させた。【選択図】図３
2011067402.tif 000002
【特許請求の範囲】
【請求項１】
遊技盤の遊技領域に設けられた可変表示装置の前方に配置され、電子抽選の結果を可動態様によって遊技者に示唆する可動役物装置において、
前記可変表示装置の表示画面を目視可能な開口が設けられた回転板と、この回転板を複数のローラを介して回転可能に支持する支持ベースと、前記回転板を前記遊技盤の盤面と略平行な面内で初期位置から正逆両方向へ所定角度ずつ回転させる回転駆動機構と、前記回転板に搭載されたアクチュエータを駆動源として前記開口内に出入可能な可動体とを備え、
前記回転駆動機構が、前記支持ベースに搭載された駆動モータと、この駆動モータの出力軸と前記回転板の外周面に設けたリングギアとの間に介設された減速ギア列とを有し、この減速ギア列の最終段ギアと前記リングギアとが前記回転板の回転中心を通る垂線の近傍位置で噛合していることを特徴とする可動役物装置。
【請求項２】
請求項１の記載において、前記支持ベースに前記回転板の外周面と所定間隔を存して対向する落下防止片が設けられており、この落下防止片を前記回転板の回転中心を通る垂線上に配置したことを特徴とする可動役物装置。
【請求項３】
請求項１の記載において、前記回転板の外周縁にリング状に延びる薄肉部が形成されており、複数の前記ローラのうち少なくとも前記回転板の左右両下部を支持する２つのローラが、一対のローラ半体によって前記薄肉部を板厚方向に挟持するダブルローラ構造からなると共に、前記薄肉部の外周端と前記ローラ半体との間に間隙が形成されていることを特徴とする可動役物装置。
【請求項４】
請求項１〜３のいずれか１項の記載において、前記可動体が前記開口内を近接および離反する方向へ往復動可能な一対のスライド板からなると共に、前記アクチュエータが前記回転板の回転中心を通る垂線を対称軸として前記回転板に搭載された一対のモータからなり、前記各モータの回転運動を対応する前記スライド板の直線運動に変換する一対のスクリューシャフトを備え、これら両スクリューシャフトが前記対称軸に略直交する同一平面上で前後方向へ位置ずれした状態で前記回転板に支持されていることを特徴とする可動役物装置。
【発明の詳細な説明】
【技術分野】
【０００１】
本発明は、弾球遊技機に備えられる可動役物装置に係り、特に、可変表示装置の表示画面の前方を正逆両方向へ回転する回転板を備え、この回転板に表示画面を目視可能な開口が設けられている可動役物装置に関するものである。
【背景技術】
【０００２】
パチンコ機に代表される弾球遊技機の中には、遊技盤の遊技領域に可変表示装置や始動入賞口を配設し、遊技領域に向けて発射された遊技球が始動入賞口に入球することを契機に電子抽選を行い、その抽選結果に基づいて可変表示装置が図柄の変動表示および停止表示を行うようにした機種が数多く存在する。電子抽選の抽選結果には当たり（当選）とハズレ（非当選）があり、抽選結果が当たりの場合には、可変表示装置の表示画面に所定の特別図柄の組み合わせが表示され、通常モードから特別遊技モードへと移行する。この特別遊技モードでは、例えばアタッカーを開放動作して露呈される大入賞口に遊技球が入るので、遊技者は多くの賞球を獲得できるようになっている。
【０００３】
このような弾球遊技機において、可動態様を変化させることができる可動体を遊技領域の適宜位置（例えば可変表示装置の周囲）に配置し、電子抽選で当選していることを遊技者に可動体の可動態様によって示唆するようにした可動役物装置が広く採用されている。かかる可動役物装置は、モータやソレノイド等からなるアクチュエータと、このアクチュエータを駆動源として種々の運動を行う可動体とを備えており、従来より、開口が形成されたリング状の回転板を可変表示装置の周囲に配置し、この回転板を回転駆動機構によって正逆両方向へ所定角度だけ回転駆動させることで、開口を通して目視される可変表示装置の表示内容と回転板の回転動作とを関連付けさせるようにした可動役物装置が知られている（例えば、特許文献１参照）。
【０００４】
特許文献１に開示された従来の可動役物装置では、回転板の中央部に可変表示装置の表示画面を目視可能な開口が形成されており、回転板の外周縁内側に円環状のリングギアが設けられている。回転板の外周縁は遊技盤と一体の支持ベースに複数のローラを用いて支持されており、この支持ベースには回転駆動機構を構成する駆動モータと減速ギア列が搭載されている。減速ギア列は歯数を異にする複数の歯車からなり、その最初段ギアは駆動モータの出力軸に固着され、最終段ギアは回転板のリングギアと噛合している。したがって、駆動モータを正転または逆転回転すると、その回転が減速ギア列からリングギアを介して回転板に伝達され、それに伴って回転板が可変表示装置の表示画面の前方で正逆いずれかの方向へ所定角度だけ回転するため、回転板の回転動作と表示画面の表示内容とを関連付けた演出を行うことができる。
【先行技術文献】
【特許文献】
【０００５】
【特許文献１】特開２００５−３２３９９５号公報
【発明の概要】
【発明が解決しようとする課題】
【０００６】
ところで、前述した従来の可動役物装置は、開口を有する回転板が単に表示画面の前方で回転するだけであるため、回転板に華やかな装飾を施したり、回転板の回転動作と表示画面の表示内容とを関連付けたとしても、回転板の回転動作を目立たさせることは困難である。そこで、このような回転板に扉やキャラクタ等を模した可動体とモータやソレノイド等のアクチュエータとを搭載し、回転板の回転動作に応じて表示画面との相対角度が変化する開口内へアクチュエータを駆動源として可動体を出入動作させることにより、従来にない斬新でインパクトのある演出を実現することが考えられる。しかしながら、この場合、重量の大きなアクチュエータを可動体と一緒に回転板に搭載する必要があるため、回転板の総重量が著しく増加してしまい、それに伴って回転板を回転させる駆動モータに大きな負担がかかるという新たな問題が発生する。
【０００７】
本発明は、このような従来技術の実情に鑑みてなされたもので、その目的は、開口内に出入可能な可動体が搭載された回転板を可変表示装置の前方でスムーズに回転させることができる可動役物装置を提供することにある。
【課題を解決するための手段】
【０００８】
上記の目的を達成するために、本発明は、遊技盤の遊技領域に設けられた可変表示装置の前方に配置され、電子抽選の結果を可動態様によって遊技者に示唆する可動役物装置において、前記可変表示装置の表示画面を目視可能な開口が設けられた回転板と、この回転板を複数のローラを介して回転可能に支持する支持ベースと、前記回転板を前記遊技盤の盤面と略平行な面内で初期位置から正逆両方向へ所定角度ずつ回転させる回転駆動機構と、前記回転板に搭載されたアクチュエータを駆動源として前記開口内に出入可能な可動体とを備え、前記回転駆動機構が、前記支持ベースに搭載された駆動モータと、この駆動モータの出力軸と前記回転板の外周面に設けたリングギアとの間に介設された減速ギア列とを有し、この減速ギア列の最終段ギアと前記リングギアとが前記回転板の回転中心を通る垂線の近傍位置で噛合している構成とした。
【０００９】
このように構成された可動役物装置では、可変表示装置の表示画面を目視可能な開口を有する回転板に可動体とアクチュエータが搭載されており、この回転板が遊技盤の盤面と略平行な面内を初期位置から正逆両方向へ所定角度ずつ回転駆動されるようになっているため、回転板の回転動作に応じて表示画面との相対角度が変化する開口内へアクチュエータを駆動源として可動体を出入動作させることにより、開口内を移動する可動体と表示画面の表示内容とを関連付けて斬新でインパクトのある演出を実現することができる。また、可動体とアクチュエータが搭載された回転板の総重量は大きなものとなるが、回転板を回転駆動する回転駆動機構が、支持ベースに搭載された駆動モータと、駆動モータの出力軸と回転板の外周面に設けたリングギアとの間に介設された減速ギア列とを有し、この減速ギア列の最終段ギアとリングギアとが回転板の回転中心を通る垂線の近傍位置で噛合しているため、回転板を初期位置から正方向と逆方向へ回転させるときの駆動モータに掛かる負荷トルクが均等化され、回転板を可変表示装置の前方でスムーズに回転させることができる。
【００１０】
上記の構成において、支持ベースに回転板の外周面と所定間隔を存して対向する落下防止片が設けられており、この落下防止片を回転板の回転中心を通る垂線上に配置すると、万が一、回転板を支持するローラが破損したり、外部からの衝撃力等によって回転板がローラから外れたとしてしても、回転板は落下防止片に当接した時点でそれ以上落下しないため、回転板の落下事故を確実に防止することができて好ましい。
【００１１】
また、上記の構成において、回転板の外周縁にリング状に延びる薄肉部が形成されており、複数のローラのうち少なくとも回転板の左右両下部を支持する２つのローラが、一対のローラ半体によって薄肉部を板厚方向に挟持するダブルローラ構造からなると共に、薄肉部の外周端とローラ半体との間に間隙が形成されていると、径寸法が大きいダブルローラ構造のローラによって回転板を確実に支持することができて好ましい。
【００１２】
また、上記の構成において、可動体の数や運動形態等は特に限定されないが、可動体が開口内を近接および離反する方向へ往復動可能な一対のスライド板からなると共に、アクチュエータが回転板の回転中心を通る垂線を対称軸として回転板に搭載された一対のモータからなり、各モータの回転運動を対応するスライド板の直線運動に変換する一対のスクリューシャフトを備え、これら両スクリューシャフトが対称軸に略直交する同一平面上で前後方向へ位置ずれした状態で回転板に支持されていると、一対のスライド板を大型の表示画面を有する可変表示装置の周囲にコンパクトに配置することができると共に、これら両スライド板を開口内で近接・離反方向に移動させることにより、恰も一対の扉が表示画面を開閉するような動きを実現することができて好ましい。
【発明の効果】
【００１３】
本発明の可動役物装置は、開口が設けられた回転板に可動体とアクチュエータを搭載し、この回転板を初期位置から正逆両方向へ回転駆動するようにしたので、回転板の回転動作に応じて表示画面との相対角度が変化する開口内へ可動体を出入動作させることにより、開口内を移動する可動体と表示画面の表示内容とを関連付けて斬新でインパクトのある演出を実現することができる。また、回転板を回転駆動する回転駆動機構が、支持ベースに搭載された駆動モータと、この駆動モータの回転を回転板の外周面に設けたリングギアに伝達する減速ギア列とによって構成され、この減速ギア列の最終段ギアとリングギアとを回転板の回転中心を通る垂線の近傍位置で噛合させたので、回転板を初期位置から正方向と逆方向へ回転させるときの駆動モータに掛かる負荷トルクが均等化され、可動体とアクチュエータを搭載することで回転板の総重量が大きなったのにも拘わらず、この回転板を可変表示装置の前方でスムーズに回転させることができる。
【図面の簡単な説明】
【００１４】
【図１】パチンコ機の外観を示す斜視図である。
【図２】図１のパチンコ機に備えられる遊技盤の正面図である。
【図３】本発明の実施形態例に係る可動役物装置の正面図である。
【図４】該可動役物装置の背面図である。
【図５】該可動役物装置に備えられる支持ベースの正面図である。
【図６】図３のＡ−Ａ線に沿う断面図である。
【図７】該可動役物装置に備えられる回転板の正面図である。
【図８】該回転板の背面図である。
【図９】該回転板に装飾カバーを取り付けた状態を示す縦断面図である。
【図１０】該可動役物装置に備えられるスライド板と駆動機構の正面図である。
【図１１】該駆動機構の平面図である。
【図１２】該スライド板の退避状態を示す斜視図である。
【図１３】該スライド板の移動途中状態を示す斜視図である。
【図１４】該スライド板の近接状態を示す斜視図である。
【図１５】該スライド板の近接直前状態を示す正面図である。
【図１６】該スライド板の近接状態を示す正面図である。
【図１７】該可動役物装置に備えられるケーブルガイドの斜視図である。
【図１８】該ケーブルガイドの断面図である。
【図１９】該回転板が初期位置にある状態を示す正面図である。
【図２０】該回転板が時計方向の末端位置へ回転した状態を示す正面図である。
【図２１】該回転板が反時計方向の末端位置へ回転した状態を示す正面図である。
【発明を実施するための形態】
【００１５】
発明の実施の形態について図面を参照して説明する。図１に示すように、本発明の可動役物装置が適用されたパチンコ機ｐは、遊技場の島設備に配置される機枠１と、機枠１に扉状に開閉自在に取り付けられた前面枠２と、前面枠２に収納保持された後述する遊技盤３と、前面枠２の前面に扉状に開閉自在に取り付けられたガラス扉４と、前面枠２の下方に配設された前面ボード５と、前面ボード５に取り付けられた発射ハンドル６等を具備しており、前面ボード５には受け皿７が設けられている。
【００１６】
図２に示すように、遊技盤３の盤面はガイドレール８等で囲まれた遊技領域９となっており、発射ハンドル６が遊技者によって任意角度に回転操作されると、図示せぬ発射装置が受け皿７に貯留された遊技球を遊技領域９に向けて連続的に打ち出すようになっている。遊技領域９の上部中央付近には中央役物ユニット１０が配設されており、この中央役物ユニット１０の左右両側が遊技球の流下通路となっている。中央役物ユニット１０は、中央部に矩形状の貫通孔１１を有する枠状の装飾ケース１２と、装飾ケース１２の裏面側に配置された可動役物装置１３と、可動役物装置１３の裏面側に配置された可変表示装置１４とを具備している。なお、可変表示装置１４は液晶パネル（ＬＣＤ）からなり、その表示画面１４ａは貫通孔１１とほぼ同じ大きさの矩形状に形成されている。
【００１７】
装飾ケース１２には貫通孔１１の下辺に隣接するステージ１５が設けられており、ステージ１５の中央部下方には第１の始動入賞口１６と第２の始動入賞口１７が縦一列に配設されている。第１の始動入賞口１６は上面に入賞孔が開口された単純構造の始動入賞口であるが、第２の始動入賞口１７は一対の可動片を有する電動チューリップ構造の始動入賞口となっている。そして、第１および第２の始動入賞口１６，１７のいずれか一方に遊技球が入賞すると、それを契機として特別図柄表示の電子抽選が行われ、可変表示装置１４の表示画面１４ａ上で図柄の変動表示と停止表示が行われる。また、中央役物ユニット１０の左側方の遊技領域９には通過チャッカー１８が配設されており、この通過チヤツカー１８を遊技球が通過したことを契機に普通図柄表示の電子抽選が行われ、その抽選結果が当たりの場合に第２の始動入賞口１７の可動片を一時的に開放して遊技球の入球を許可するようになっている。
【００１８】
第２の始動入賞口１７の真下位置にはアタッカー１９が配設されており、このアタッカー１９によって図示せぬ大入賞口が覆われている。アタッカー１９は、第１および第２の始動入賞口１６，１７のいずれか一方に遊技球が入賞することを契機に行われる特別図柄表示の電子抽選の結果、当たりとなって大当たり遊技状態（特別遊技モード）に移行した場合に作動される装置である。具体的には、特別図柄表示の抽選結果が当たりの場合、可変表示装置１４の表示画面１４ａ上で図柄の変動表示を例えば「７７７」のように特定図柄で停止させると共に、アタッカー１９が複数回繰り返し開放動作して大入賞口を露呈させる。アタッカー１９は１回の開放動作について例えば３０秒経過するまで、あるいは遊技球が大入賞口に例えば１０個入球するまで開放状態を維持し、かかる開放動作を例えば１５回繰り返した後に大当たりが終了する。その他、遊技領域９には遊技球の払い出しのみを行う複数の一般入賞口２０が配設されており、いずれの始動入賞口１６，１７や一般入賞口２０にも入賞しなかった遊技球は、遊技領域９の最下端部に設けられたアウトロ２１から遊技盤３の裏面側に排出されるようになっている。
【００１９】
図３と図４に示すように、前記可動役物装置１３は、装飾ケース１２の裏面にネジ止め等により固定された合成樹脂製の支持ベース２２と、この支持ベース２２に後述する３個のローラを介して回転可能に支持されたリング状の回転板２３とを備えている。図５に示すように、支持ベース２２の中央部には装飾ケース１２の貫通孔１１とほぼ同じ大きさの透孔２２ａが開設されており、可変表示装置１４の表示画面１４ａはこの透孔２２ａ内に露出している。支持ベース２２の下辺中央部には落下防止片２４が一体形成されており、この落下防止片２４の斜め上方には一対のフォトインタラプタ２５，２６が実装されている。落下防止片２４は回転板２３の回転中心Ｏを通る垂線Ｌ上に位置しており、支持ベース２２の上辺中央部にはこの垂線Ｌを介して対向する一対のストッパ突起２７，２８が設けられている。また、支持ベース２２の下辺側には駆動モータ２９が取り付けられており、この駆動モータ２９の近傍には減速ギア列３０が配設されている。減速ギア列３０は駆動モータ２９の出力軸に固着された最初段ギア３０ａを含む複数のギアによって構成されており、減速ギア列３０の最終段ギア３０ｂは落下防止片２４の近傍に位置している。さらに、支持ベース２２の右側辺部には後述するケーブルガイド３１がネジ止め等によって固定されており、このケーブルガイド３１には帯状のフラットケーブル３２の一端部がコネクタ接続されている。なお、ケーブルガイド３１の内壁面と回転板２３の外周縁とは弧状空間Ｓを介して対向しており、フラットケーブル３２はこの弧状空間Ｓ内にＵ字状の反転部３２ａを有した状態で配置されている。
【００２０】
図７と図８に示すように、合成樹脂製の回転板２３の中央部には方形状の開口３３が開設されており、この開口３３を通して可変表示装置１４の表示画面１４ａが目視可能となっている。回転板２３の上方部分は小径部２３ａとなっており、小径部２３ａとその下方の大径部２３ｂとは左右一対の平坦部２３ｃを介して連続している。また、小径部２３ａの下方には一対のガイド孔２３ｅが形成されており、これらガイド孔２３ｅは開口３３の上辺に沿って左右方向へ延びている。さらに、小径部２３ａと大径部２３ｂの外周縁には薄肉部２３ｄが形成されており、図３に示すように、この薄肉部２３ｄを３個のローラ３４で支持することにより、回転板２３は各ローラ３４を介して支持ベース２２に回転可能に支持されている。これらローラ３４は全て後述するダブルローラ構造となっており、以下、このダブルローラ構造について回転板２３の左下部を支持するローラ３４を例にとって説明する。
【００２１】
図６に示すように、回転板２３の左下部を支持するローラ３４は、回転板２３の薄肉部２３ｄを板厚方向に挟持する上側ローラ半体３４ａと下側ローラ半体３４ｂとからなり、これら上側ローラ半体３４ａと下側ローラ半体３４ｂは支持ベース２２に植設された支軸３５に同軸配置され、支軸３５を中心に回転可能に支持されている。ただし、薄肉部２３ｄの外周端と上側ローラ半体３４ａの軸部との間には間隙Ｓｌが形成されており、薄肉部２３ｄは上側ローラ半体３４ａおよび下側ローラ半体３４ｂと径方向では非接触となっている。回転板２３の右下部を支持するローラ３４も全く同じ構成であり、このようにダブルローラ構造のローラ３４によって回転板２３の左右両下部を支持すると、径寸法の大きな上側ローラ半体３４ａと下側ローラ半休３４ｂによって回転板２３を確実に支持した上で、回転板２３とローラ３４間に生じる摩擦抵抗を低減して回転板２３をスムーズに回転させることが可能になる。なお、回転板２３の中央上部を支持する残りのローラ３４も径寸法が幾分小さいだけで同様のダブルローラ構造となっている。ただし、中央上部のローラ３４には回転板２３の重量が作用しないため、このローラ３４については必ずしもダブルローラ構造としなくても良く、一般的なシングルローラ構造のローラを用いることも可能である。
【００２２】
図３に示すように、回転板２３の表面側の下部外周縁にはリングギア３６が取り付けられており、前述した減速ギア列３０の最終段ギア３０ｂは回転板２３の回転中心Ｏを通る垂線Ｌの近傍でリングギア３６に噛合している。これにより駆動モータ２９の回転が減速ギア列３０を介して回転板２３に伝達され、これら駆動モータ２９と減速ギア列３０およびリングギア３６によって回転駆動機構が構成されている。本実施形態例の場合、この回転駆動機構によって回転板２３が初期位置を基準として正逆両方向（時計方向と反時計方向）へ約４５度ずつ回転動作されるようになっている。なお、回転板２３の時計方向への回転角度は左側の平坦部２３ｃが一方のストッパ突起２７に当接することによって規制され、回転板２３の反時計方向への回転角度は右側の平坦部２３ｃが他方のストッパ突起２８に当接することによって規制される。また、回転板２３の外周縁と前述した落下防止片２４とは所定間隔を存して対向しており、落下防止片２４が回転板２３の回転動作を妨げないようになっている。ただし、回転板２３を支持しているローラ３４が破損したり、外部からの衝撃等によって回転板２３がローラ３４から外れた場合、回転板２３の外周縁が落下防止片２４の上端に当接した時点でそれ以上の動きが規制されるため、回転板２３の落下事故を確実に防止することができる。
【００２３】
図８に示すように、回転板２３の裏面側の外周縁には遮光板３７が取り付けられており、この遮光板３７には短尺な遮光壁３７ａと長尺な遮光壁３７ｂが同心円状に立設されている。前述した一対のフォトインタラプタ２５，２６はこれら遮光壁３７ａ，３７ｂの回転軌跡上に位置しており、両フォトインタラプタ２５，２６の出力信号に基づいて回転板２３の初期位置と回転方向を検出できるようになっている。具体的には、回転板２３が初期位置にあるとき、短尺な遮光壁３７ａは一方のフォトインタラプタ２５の光路を横切る位置にあり、長尺な遮光壁３７ｂは他方のフォトインタラプタ２６の光路を横切る位置にあるため、両フォトインタラプタ２５，２６から共にオフ信号が出力される。また、回転板２３が初期位置から時計方向へ回転すると、短尺な遮光壁３７ａは一方のフォトインタラプタ２５の光路から外れる位置へ移動し、長尺な遮光壁３７ｂも他方のフォトインタラプタ２６の光路から外れる位置へ移動するため、両フォトインタラプタ２５，２６から共にオン信号が出力される。それとは逆に回転板２３が初期位置から反時計方向へ回転すると、短尺な遮光壁３７ａは一方のフォトインタラプタ２５の光路から外れる位置へ移動するが、長尺な遮光壁３７ｂは他方のフォトインタラプタ２６の光路内を移動するため、一方のフォトインタラプタ２５からオン信号が出力されると共に、他方のフォトインタラプタ２６からオフ信号が出力される。
【００２４】
図３に示すように、回転板２３の前面の大部分は合成樹脂製の装飾カバー３８によって覆われており、この装飾カバー３８には回転板２３の開口３３と同じ大きさの矩形状の窓孔３９が設けられている。図９に示すように、装飾カバー３８には窓孔３９を上下左右に包囲する周壁３８ａが一体形成されており、この周壁３８ａの近傍を含む複数箇所で回転板２３と装飾カバー３８をネジ止めすることにより、全体として機械的強度の高い回転板２３と装飾カバー３８の一体品が構成されている。
【００２５】
図４に示すように、回転板２３の裏面には一対のスライド板４０，４１が搭載されており、便宜上、回転板２３の前方から見て左側に位置するスライド板４０を第１スライド板、右側に位置するスライド板４１を第２スライド板と呼ぶと、第１スライド板４０と第２スライド板４１は開口３３を介して左右両側で対向している。第１スライド板４０と第２スライド板４１は扉を模した可動体であり、図示省略されているが、これら両スライド板４０，４１の内部には複数のＬＥＤが実装されている。また、回転板２３の裏面には、第１スライド板４０の駆動機構である第１モータ４２および第１スクリューシャフト４３と、第２スライド板４１の駆動機構である第２モータ４４および第２スクリューシャフト４５がそれぞれ搭載されている。
【００２６】
第１モータ４２の出力軸にはピニオン４６が固着され、第２モータ４４の出力軸にはピニオン４７が固着されている。第１モータ４２と第２モータ４４は回転板２３の回転中心Ｏを通る垂線Ｌを対称軸とする位置に取り付けられており、図１０〜図１４に示すように、これら第１モータ４２と第２モータ４４は互いの反出力軸側を向かい合わせにして近接配置されている。
【００２７】
第１スクリューシャフト４３と第２スクリューシャフト４５は開口３３の下辺に沿って平行に配置されているが、これら第１スクリューシャフト４３と第２スクリューシャフト４５は前記垂線Ｌに直交する同一平面上で前後方向へ位置ずれしており、第１スクリューシャフト４３の右側部分と第２スクリューシャフト４５の左側部分が前後方向にオーバーラップしている。第１スクリューシャフト４３の一端部にはピニオン４８が固着されており、このピニオン４８と前記ピニオン４６を中継ギア４９を介して連結することにより、第１モータ４２の回転が第１スクリューシャフト４３に伝達されるようになっている。また、第２スクリューシャフト４５の一端部にはピニオン５０が固着されており、このピニオン５０と前記ピニオン４７を中継ギア５１を介して連結することにより、第２モータ４４の回転が第２スクリューシャフト４５に伝達されるようになっている。すなわち、第１スクリューシャフト４３は第１モータ４２の出力軸から第２モータ４４側に向かって延出し、第２スクリューシャフト４５は第２モータ４４の出力軸から第１モータ４２側に向かつて延出している。
【００２８】
第１スライド板４０の下端部にはガイド筒体５２が取り付けられており、このガイド筒体５２は第１スクリューシャフト４３に嵌挿されている。ガイド筒体５２の内周面には第１スクリューシャフト４３の螺旋状溝と係合する突部（図示せず）が形成されており、第１モータ４２の回転に伴って第１スライド板４０は第１スクリューシャフト４３の軸線方向（Ｘ１−Ｘ２方向）へ往復移動する。また、第１スライド板４０の上端部にはＬ字状に折り曲げられた突起４０ａが一体形成されており、この突起４０ａは回転板２３に形成された一方のガイド孔２３ｅの上壁と摺動可能に係合している（図９参照）。すなわち、第１モータ４２の駆動力は第１スライド板４０に対して下端側のみから付与され、上端側は駆動力の付与されない自由端となっており、この自由端側の端面に小さめな磁石５３が固着されている。
【００２９】
同様に、第２スライド板４１の下端部にはガイド筒体５４が取り付けられており、このガイド筒体５４は第２スクリューシャフト４５に嵌挿されている。ガイド筒体５４の内周面には第２スクリューシャフト４５の螺旋状溝と係合する突部（図示せず）が形成されており、第２モータ４４の回転に伴って第２スライド板４１は第２スクリューシャフト４５の軸線方向（Ｘ１−Ｘ２方向）へ往復移動する。また、第２スライド板４１の上端部にはＬ字状に折り曲げられた突起４１ａが一体形成されており、この突起４０ａは回転板２３に形成された他方のガイド孔２３ｅの上壁と摺動可能に係合している。すなわち、第２モータ４４の駆動力は第２スライド板４１に対して下端側のみから付与され、上端側は駆動力の付与されない自由端となっており、この自由端側の端面に鉄板等からなる磁性体５５が取り付けられている。
【００３０】
図１２に示すように、第１スライド板４０と第２スライド板４１は通常の遊技状態で最も離反した退避位置にあり、この場合、回転板２３の開口３３は全開状態となっている。この状態で第１モータ４２と第２モータ４４をそれぞれ一方向へ回転駆動すると、図１３に示すように、第１スライド板４０が第１スクリューシャフト４３の軸線に沿って矢印Ｘ１方向へ移動すると共に、第２スライド板４１が第２スクリューシャフト４５の軸線に沿って矢印Ｘ２方向へ移動するため、第１スライド板４０と第２スライド板４１の対向間距離が次第に狭まっていく。さらに第１モータ４２と第２モータ４４の回転を続行すると、図１４に示すように、第１スライド板４０と第２スライド板４１が互いの対向面を当接させた近接位置まで移動し、開口３３の中央部を含む大部分が第１スライド板４０と第２スライド板４１によって遮蔽された近接状態となる。
【００３１】
ここで、本実施形態例では、第１スライド板４０と第２スライド板４１の対向間距離を意図的に変えてあり、両スライド板４０，４１の自由端（上端）側の対向間距離に対して駆動端（下端）側の対向間距離が広くなるように予め設定してある。このため、図１５に示すように、第１スライド板４０と第２スライド板４１の自由端側のコーナ部同士が当接したとき、駆動端側のコーナ部同士はまだ当接しておらず、第１スライド板４０と第２スライド板４１の対向面間に駆動端側を底辺とする三角形状の隙間Ｓ２が形成される。この状態から第１モータ４２と第２モータ４４の回転を続行すると、第１スライド板４０と第２スライド板４１は自由端側を当接したまま隙間Ｓ２の底辺を狭めるように移動し、第１スライド板４０と第２スライド板４１の駆動端側のコーナ部同士が当接した時点で第１モータ４２と第２モータ４４の回転は停止される。その結果、図１６に示すように、第１スライド板４０と第２スライド板４１の対向面同士が自由端側から駆動端側に至る全ての部分で当接し、開口３３内に臨む可変表示装置１４の表示画面１４ａが第１スライド板４０と第２スライド板４１によって確実に遮蔽される。
【００３２】
図１７と図１８に示すように、前記ケーブルガイド３１は後部ケース３１ａと前部ケース３１ｂで構成されており、これら両ケース３１ａ，３１ｂは接合・一体化された状態で支持ベース２２に固定されている。ケーブルガイド３１の内部には回路基板５６が収納されており、この回路基板５６は遊技盤３の裏面側に配設された図示せぬ制御基板と接続されている。また、回路基板５６には２つの固定側コネクタ５７が実装されており、これら固定側コネクタ５７に２枚のフラットケーブル３２の一端部が接続されていると共に、両フラットケーブル３２の他端部が回転板２３の外周部に取り付けた可動側コネクタ５８に接続されている（図３参照）。したがって、正逆両方向へ回転する回転板２３に搭載された両モータ４２，４４や両スライド板４０，４１内のＬＥＤ等の電気部品に対し、その回転角度に拘わらず前記制御基板からの制御信号をフラットケーブル３２を介して確実に伝送することができる。なお、２枚のフラットケーブル３２は固定側コネクタ５７との接続部分を除くと密着状態で重ねられており、外観上は１枚のフラットケーブルと大差ないため、以下、２枚のフラットケーブル３２を１枚のものとして説明することとする。
【００３３】
ケーブルガイド３１の弧状空間Ｓに対向する内壁面は湾曲面形状となっており、この内壁面の上端部から下端部に至る全域にはガイド溝５９が形成されている。ガイド溝５９の中央部のやや下方位置には導出口６０が形成されており、ケーブルガイド３１の内部で固定側コネクタ５７に接続されたフラットケーブル３２は、導出口６０から下方へ向かって導出された後、反転部３２ａで上方へ方向転換して回転板２３の可動側コネクタ５８に接続されている。ガイド溝５９は導出口６０から導出されたフラットケーブル３２を幅方向に位置規制する機能を有し、その幅寸法はガイド溝５９の延出方向の全域で同一に設定されているが、深さ寸法はガイド溝５９の延出方向で部分的に変えてある。具体的には、ガイド溝５９の深さ寸法を導出口６０から下方に向かって漸次大きくし、ガイド溝５９の下端部上方の最深位置５９ａで最大の深さｄ１となるように設定されている。なお、導出口６０からガイド溝５９の上端部に至る部分は延長ガイド部５９ｂとなっており、この延長ガイド部５９ｂの溝深さは導出口６０の近傍と同じ最小深さｄ２に設定されている。
【００３４】
ガイド溝５９とフラットケーブル３２の反転部３２ａとの相対位置は回転板２３の回転角度に応じて変化するが、回転板２３が初期位置にあるとき、反転部３２ａは図１８の実線で示すようにガイド溝５９の最深位置５９ａの近傍に位置している。この場合、ガイド溝５９の溝底面と回転板２３の外周縁間の距離（弧状空間Ｓの幅寸法）は最深位置５９ａで最大となるため、反転部３２ａの曲率半径を十分に大きく保つことができ、それによってフラットケーブル３２に掛かる曲げ応力が低減されている。また、回転板２３が初期位置から時計方向に回転すると、図１８の２点鎖線で示すように、反転部３２ａはガイド溝５９の下端部から突出する位置まで変位するが、導出口６０から導出されて反転部３２ａに至る部分のフラットケーブル３２がガイド溝５９によって幅方向に位置規制されているため、ガイド溝５９から突出した反転部３２ａが周囲の部材にぶつかって損傷するこはない。これとは逆に回転板２３が初期位置から反時計方向に回転すると、図１８の破線で示すように、反転部３２ａはガイド溝５９の最深位置５９ａから離れて導出口６０の近傍まで移動するが、この場合は導出口６０の存在によって反転部３２ａの曲率半径が大きく保たれるため、フラットケーブル３２に掛かる曲げ応力は低減されている。しかも、ガイド溝５９の溝深さが導出口６０から最深位置５９ａに向かって漸次大きくなるように設定されているため、反時計方向の末端位置まで回転した回転板２３を初期位置に戻すとき、反転部３２ａをガイド溝５９内でスムーズに移動させて最深位置５９ａの近傍まで導くことができる。
【００３５】
次に、このように構成された可動役物装置１３の動作を主に図１９〜図２１を参照して説明する。なお、図１９〜図２１は可動役物装置１３を遊技盤３の正面側から見た動作説明図であり、回転板２３に搭載された両スライド板４０，４１やその駆動装置である両モータ４２，４４および両スクリューシャフト４３，４５は図示省略してある。
【００３６】
本実施形態例に係る可動役物装置１３では、通常の遊技状態において回転板２３は図１９に示す初期位置にあり、この初期位置で回転板２３の開口３３は装飾ケース１２の貫通孔１１と一致する横長形状に保たれている。この場合、第１スライド板４０と第２スライド板４１は開口３３の左右両側に隠れた退避位置にあり、可変表示装置１４の表示画面１４ａは支持ベース２２の透孔２２ａを通して開口３３内に露出している。また、回転板２３の外周部に取り付けられた可動側コネクタ５８は弧状空間Ｓを介してケーブルガイド３１の中央部分と対向しており、可動側コネクタ５８に接続されたフラットケーブル３２の反転部３２ａはケーブルガイド３１の内壁面に形成されたガイド溝５９の最深位置５９ａの近傍に位置している。
【００３７】
この状態で駆動モータ２９を正逆いずれか一方へ回転駆動すると、駆動モータ２９の回転が減速ギア列３０からリングギア３６を介して回転板２３に伝達されるため、回転板２３が初期位置から時計方向へ回転する。そして、回転板２３が初期位置から時計方向へ約４５度まで回転すると、図２０に示すように、回転板２３の左側の平坦部２３ｃが一方のストッパ突起２７に当接し、当該位置で駆動モータ２９を駆動停止して回転板２３の回転を停止させる。その結果、開口３３が表示画面１４ａに対して斜め４５度の右下がり状態となり、回転板２３の前面に配設された装飾カバー３８の一部が装飾ケース１２の貫通孔１１から露出する。また、かかる回転板２３の回転に伴って可動側コネクタ５８がケーブルガイド３１の下端部付近まで移動し、それに追従してフラットケーブル３２の反転部３２ａがガイド溝５９の最深位置５９ａから下方へ移動するため、可動側コネクタ５８からケーブルガイド３１の下端部に至る部分のフラットケーブル３２が曲率半径の大きな反転部３２ａとなる。
【００３８】
一方、回転板２３が初期位置にある状態で駆動モータ２９を他方へ回転駆動すると、回転板２３が初期位置から反時計方向へ回転する。そして、回転板２３が初期位置から反時計方向へ約４５度まで回転すると、図２１に示すように、回転板２３の右側の平坦部２３ｃが他方のストッパ突起２８に当接し、当該位置で駆動モータ２９を駆動停止して回転板２３の回転を停止させる。その結果、開口３３が表示画面１４ａに対して斜め４５度の左下がり状態となり、装飾カバー３８の一部が装飾ケース１２の貫通孔１１から露出する。また、かかる回転板２３の回転に伴って可動側コネクタ５８がケーブルガイド３１の上端部付近まで移動し、それに追従してフラットケーブル３２の反転部３２ａがガイド溝５９の最深位置５９ａから導出口６０の近傍まで移動するため、導出口６０から導出されたフラットケーブル３２は延長ガイド部５９ｂに対面する弧状空間Ｓを通って可動側コネクタ５８まで至る。この場合、導出口６０の側方に位置する弧状空間Ｓの幅寸法は最深位置５９ａの形成箇所に比べて狭くなるが、ガイド溝５９の溝底面を切り欠いて形成した導出口６０の存在によって反転部３２ａの曲率半径が大きく保たれるため、フラットケーブル３２に掛かる曲げ応力は低減される。しかも、回転板２３はほとんどの場合に初期位置に保たれており、回転板２３が図２１に示す位置まで回転する頻度は非常に少ないため、回転板２３の回転途中で反転部３２ａの曲率半径が一時的に小さくなったとしても、それによってフラットケーブル３２が損傷する虞はない。
【００３９】
また、このように回転板２３が初期位置を含めて任意の回転位置にあるとき、前述した第１スライド板４０と第２スライド板４１の開閉動作を行わせることにより、両スライド板４０，４１の開閉方向と可変表示装置１４の表示内容とを関連付けたインパクトのある演出を実現することができる。例えば、通常のリーチ時に回転板２３を初期位置に保ったまま両スライド板４０，４１を表示画面１４ａに対して水平方向へ往復移動させたり、スーパーリーチ時に回転板２３を時計方向または反時計方向へ回転させ、その回転途中や回転末端位置で両スライド板４０，４１を表示画面１４ａに対して斜め方向へ往復移動させれば、両スライド板４０，４１の開閉動作と開閉方向に応じて大当たりの可能性の程度を遊技者に示唆させることができる。
【００４０】
以上説明したように、本実施形態例に係る可動役物装置１３では、可変表示装置１４の表示画面１４ａを目視可能な開口３３が設けられた回転板２３に一対のスライド板４０，４１や一対のモータ４２，４４等を搭載し、この回転板２３を初期位置から正逆両方向へ回転駆動するようにしたので、回転板２３の回転動作に応じて表示画面１４ａとの相対角度が変化する開口３３内へ両スライド板４０，４１を出入動作させることにより、開口３３内を往復移動する両スライド板４０，４１と表示画面１４ａの表示内容とを関連付けて斬新でインパクトのある演出を実現することができる。しかも、支持ベース２２に搭載した駆動モータ２９と、この駆動モータ２９の回転を回転板２３の外周部のリングギア３６に伝達する減速ギア列３０とによって回転駆動機構を構成し、減速ギア列３０の最終段ギア３０ｂとリングギア３６とを回転板２３の回転中心Ｏを通る垂線Ｌの近傍で噛合させたので、回転板２３を初期位置から正方向と逆方向へ回転させるときの駆動モータ２９に掛かる負荷トルクが均等化され、総重量が大きな回転板２３を可変表示装置１４の前方でスムーズに回転させることができる。
【００４１】
また、支持ベース２２に回転板２３の外周面と所定間隔を存して対向する落下防止片２４を一体形成し、この落下防止片２４を回転板２３の回転中心Ｏを通る垂線Ｌ上に位置させたので、万が一、回転板２４を支持するローラ３４が破損したり、外部からの衝撃力等によって回転板２３がローラ３４から外れたとしてしても、回転板２３が落下防止片２４に当接した時点でそれ以上落下せず、回転板２３の落下事故を確実に防止することができる。
【００４２】
また、回転板２３の外周縁にリング状に延びる薄肉部２３ｄを形成し、少なくとも回転板２３の左右両下部を支持する２つのローラ３４が一対のローラ半体３４ａ，３４ｂによって薄肉部２３ｄを板厚方向に挟持するダブルローラ構造となすと共に、薄肉部２３ｄの外周端と両ローラ半体３４ａ，３４ｂとの間に間隙Ｓ１を形成したので、径寸法の大きなダブルローラ構造のローラ半体３４ａ，３４ｂによって回転板２３を確実に支持した上で、薄肉部２３ｄとローラ３４間に生じる摩擦抵抗を低減して回転板２３をスムーズに回転させることができる。
【００４３】
なお、上記実施形態例では、回転板２３にスライド板４０，４１とモータ４２，４４およびスクリューシャフト４３，４５を搭載し、両モータ４２，４４の回転をそれぞれスクリューシャフト４３，４５でスライド板４０，４１の直線運動に変換することにより、可動体である一対のスライド板４０，４１が回転板２３の開口３３内を近接・離反方向へ移動するという可動役物装置１３について説明したが、可動体の数や運動形態等はこれに限定されず、１つまたは３つ以上の可動体をソレノイドやモータ等のアクチュエータを駆動源として開口３３内に出入動作させるようにしても良い。
【符号の説明】
【００４４】
３  遊技盤
９  遊技領域
１０  中央役物ユニット
１１  貫通孔
１２  装飾ケース
１３  可動役物装置
１４  可変表示装置
１４ａ  表示画面
２２  支持ベース
２２ａ  透孔
２３  回転板
２３ｄ  薄肉部
２４  落下防止片  
２９  駆動モータ
３０  減速ギア列
３０ａ  最初段ギア
３０ｂ  最終段ギア
３３  開口
３４  ローラ
３４ａ  上側ローラ半体
３４ｂ  下側ローラ半体
３５  支軸
３６  リングギア
３８  装飾カバー
３９  窓孔
４０  第１スライド板
４１  第２スライド板
４２  第１モータ
４３  第１スクリューシャフト
４４  第２モータ
４５  第２スクリューシャフト
５２，５４  ガイド筒体
Ｌ  垂線
Ｓ１  間隙
【図１】
2011067402.tif 000003
【図２】
2011067402.tif 000004
【図３】
2011067402.tif 000005
【図４】
2011067402.tif 000006
【図５】
2011067402.tif 000007
【図６】
2011067402.tif 000008
【図７】
2011067402.tif 000009
【図８】
2011067402.tif 000010
【図９】
2011067402.tif 000011
【図１０】
2011067402.tif 000012
【図１１】
2011067402.tif 000013
【図１２】
2011067402.tif 000014
【図１３】
2011067402.tif 000015
【図１４】
2011067402.tif 000016
【図１５】
2011067402.tif 000017
【図１６】
2011067402.tif 000018
【図１７】
2011067402.tif 000019
【図１８】
2011067402.tif 000020
【図１９】
2011067402.tif 000021
【図２０】
2011067402.tif 000022
【図２１】
2011067402.tif 000023